(57)【要約】【課題】住宅に装備される装備品の違いを顧客に対して容易に説明することができる住宅の装備品選択支援システムを提供することを目的とする。【解決手段】各種類毎の装備品を一つずつ選択するための選択手段４と、前記選択手段４にて選択された全装備品の合計金額を演算して表示する合計金額表示手段５と、各種の装備品の情報を画像及び音声にて記憶する記憶手段１と、前記各種装備品と標準装備品との相違部分を少なくとも音声にて説明可能な音声案内手段６とを備える。【選択図】      図１
2004199442.tif 000002
【特許請求の範囲】
【請求項１】
キッチン、バス、トイレ、電気機器などの住宅の複数種類の装備品の概要説明を画像及び音声にて提供し、その中から所望の装備品の選択を支援する住宅の装備品選択支援システムにおいて、各種類毎の装備品を一つずつ選択するための選択手段と、前記選択手段にて選択された全装備品の合計金額を演算して表示する合計金額表示手段と、各種の装備品の情報を画像及び音声にて記憶する記憶手段と、前記各種装備品と標準装備品との相違部分を少なくとも音声にて説明可能な音声案内手段とを備えたことを特徴とする住宅の装備品選択支援システム。
【請求項２】
前記選択手段にて選択された装備品の選択回数を計数して記憶する計数手段と、前記計数手段によって計数された選択回数に基づいて最も選択回数の多い装備品を他の装備品と区別する、又は選択回数の多い装備品から順位を付して区別するための区別手段とを備えさせてなる請求項１記載の住宅の装備品選択支援システム。
【請求項３】
前記選択手段にて選択された装備品を住宅を模したイメージ図に描き込むための装備品描き込み手段と、前記装備品描き込み手段によって描き込まれた装備品に対する壁材などの内装材を選択して前記イメージ図に合成すると共にその合成したものを表示するための内装材合成手段を備えてなる請求項１記載の住宅の装備品選択支援システム。
【請求項４】
前記住宅を模したイメージ図の外壁及び屋根に外壁材及び屋根材をそれぞれ描き込むための外壁描き込み手段を備えてなる請求項３記載の住宅の装備品選択支援システム。
【発明の詳細な説明】
【０００１】
【発明の属する技術分野】
本発明は、新築予定又は新築した住宅や改築した住宅に必要となる装備品、例えばキッチン、バス、トイレ、電気機器などを販売する販売者が、それら装備品の種類毎に複数ある装備品のデザイン、機能、価格等の違いを顧客に対して容易に説明することができる住宅の装備品選択支援システムに関するものである。
【０００２】
【従来の技術】
従来、住宅を販売する販売者が、住宅に装備させる装備品の説明や提案を顧客に行うときには、予め顧客に対して行ったアンケートや住宅のイメージ、つまり住宅の建設予定地の敷地の広さ、環境、購入資金などのデータに基づいて、各種類の装備品を一つずつ選択してプランを作成するようにしている。そして、作成された装備品のプランを販売者が顧客に説明して、顧客に対してプランの理解を深めてもらうと共に、顧客の要望を聞き出し、顧客が満足できる装備品を住宅に装備させることができるようにしている。
【０００３】
また、新築予定の顧客に提出するプランに間取り図や装備品の販売価格などの情報以外にも、和室、洋室、クローゼット、玄関などの各部屋毎のセールスポイントなども同時に記載されている冊子を使用したり、それらのデータをコンピュータに記憶させておき、記憶された情報をコンピュータの表示部に表示させて、顧客にプランのセールスポイントを販売の経験の少ない販売員でも容易に説明できるようにしている（例えば、特許文献１参照。）。
【０００４】
【特許文献１】
特開２００２−７８８５号公報
【０００５】
【発明が解決しようとする課題】
上記前者のように冊子を用いて説明する場合には、特に十分な経験を有していない販売者などにおいては、各部屋や住宅に装備される各装備品のセールスポイントを十分に説明することができなかった。
【０００６】
また、後者のようにコンピュータに冊子の情報を記憶させている場合、つまり住宅の設計図面呈示のための支援ツール及び支援システムを用いて説明する場合には、現在呈示されているプラン（選択された装備品）のセールスポイントだけを、顧客に説明するだけになり、顧客が現在呈示されているプラン（装備品）を変更することを希望したときには、現在呈示している装備品と、顧客が選択した装備品との相違部分を顧客に対して説明することができなかった。
【０００７】
本発明は、かかる問題に鑑みてなされたものであり、住宅に装備される装備品の違いを顧客に対して容易に説明することができる住宅の装備品選択支援システムを提供することを目的とする。
【０００８】
【課題を解決するための手段】
前記目的を達成するために、本発明の住宅の装備品選択支援システムは、キッチン、バス、トイレ、電気機器などの住宅の複数種類の装備品を画像及び音声にて提供し、その中から所望の装備品の選択を支援する住宅の装備品選択支援システムにおいて、各種類毎の装備品を一つずつ選択するための選択手段と、前記選択手段にて選択された全装備品の合計金額を演算して表示する合計金額表示手段と、各種の装備品の情報を画像及び音声にて記憶する記憶手段と、前記各種装備品と標準装備品との相違部分を少なくとも音声にて説明可能な音声案内手段とを備えたことを特徴とするものである。
【０００９】
したがって、住宅の販売者や住宅の装備品販売者は、キッチン、バス、トイレ、電気機器などの各種装備品の中から各種装備品毎にそれぞれ一つずつ顧客が選択すると、選択した全ての装備品の合計金額が表示され、この金額を参考にしながら気に入らなかった装備品を他の装備品に選択することによって、装備品にかかる総費用を即座に把握することができる。また、各種装備品の相違部分を音声で説明することによって、販売経験の少ない販売者であっても、プランとして呈示した装備品との違いを説明することができる。
【００１０】
また、前記選択手段にて選択された装備品の選択回数を計数して記憶する計数手段と、前記計数手段によって計数された選択回数に基づいて最も選択回数の多い装備品を他の装備品と区別する、又は選択回数の多い装備品から順位を付して区別するための区別手段とを備えさせてもよい。
【００１１】
また、前記選択手段にて選択された装備品を住宅を模したイメージ図に描き込むための装備品描き込み手段と、前記装備品描き込み手段によって描き込まれた装備品に対する壁材などの内装材を選択して前記イメージ図に合成すると共にその合成したものを表示するための内装材合成手段を備えてもよい。
【００１２】
また、前記住宅を模したイメージ図の外壁及び屋根に外壁材及び屋根材をそれぞれ描き込むための外壁描き込み手段を備えてもよい。
【００１３】
【発明の実施の形態】
以下に、本発明に係る住宅の装備品選択支援システムの実施形態を図面を参照しながら説明する。
【００１４】
本願発明に係る住宅の装備品選択支援システム（以下、選択支援システムと称す。）は、住宅の販売を行う販売者又は住宅の装備品を販売する販売者が住宅の新築や改築を行う予定がある顧客や既に改築した住宅内の装備品を新しい装備品に取り替える顧客に対して好みの装備品を分かり易く提案し、顧客はその中から所望の装備品を選択することができるように構成されたものである。つまり、住宅に装備されるキッチン、バス（バスユニット）、トイレ、電気機器（照明機器）などの各装備品が複数種類ある場合に、それら種類毎にある複数の装備品の中から顧客が希望する１つの装備品を選択し、その選択された装備品の機能、デザイン、価格を提示することができるだけでなく、予め販売者が提案したプランに備えられている標準装備品（他の装備品でもよい）と、他の装備品との相違部分を音声で説明するものである（音声に加えて文字や文章を画面に表示して説明してもよい）。
なお、本願発明における標準装備品とは、販売者等の販売関係者が立案したプランに装備される装備品のことである。具体的には、図２に示すＡ〜Ｄに示した各種装備品の１番目に表示されているものとして以下の説明を行うことにする。図ではスタンダードな装備品を標準装備品としているが、高級な装備品であってもよい。
【００１５】
図１は、本発明の選択支援システムの概要を示すブロック図を示している。本発明は、前記各種装備品のデザイン、サイズ、価格等の情報を画像（イメージ図）、音声（音）、文字（文章）等のデータにて記憶する記憶手段１、前記記憶手段１に記憶されているデータに基づいて、各種の装備品をコンピュータの表示部（具体的には図２で示す装備品一覧表示画面１２）３に一覧表示させる装備品一覧表示手段２、表示部３に表示されている複数の各種装備品を、住宅の新築や改築を行う予定である顧客、又は販売者等の操作者がコンピュータ（のキーボードやマウスなど）を操作して各種装備品毎の装備品を一つずつ選択する選択手段４、前記選択手段４によって選択された全ての装備品の合計金額を前記記憶手段１に記憶されている各種装備品の価格のデータに基づいて前記表示部３に表示させる合計金額表示手段５、前記選択手段４によって選択された装備品と、販売者が予め設定している標準装備品との相違部分を少なくとも音声で説明を行う音声案内手段６、前記顧客が選択手段４を操作して選択した回数を計数して記憶する計数手段７、前記計数手段７によって計数された選択回数に基づいて最も選択回数の多い装備品を他の装備品と区別する、又は選択回数の多い装備品から順位を付けて区別する区別手段８、前記選択手段４を操作して前記操作者が選択した装備品を住宅を模したイメージ図に描き込み、前記表示部３に表示させる装備品描き込み手段９、前記装備品描き込み手段９によって描き込まれた装備品に対する壁材などの内装材を選択して前記イメージ図に合成すると共にその合成したものを前記表示部３に表示する内装材合成手段１０、前記住宅を模したイメージ図の外壁及び屋根に外壁材及び屋根材をそれぞれ描き込み、前記表示部３に表示させる外壁描き込み手段１１とを備えている。
なお前記の、記憶手段１、装備品一覧表示手段２、合計金額表示手段５、音声案内手段６、計数手段７、区別手段８、装備品描き込み手段９、内装材合成手段１０、外壁描き込み手段１１は、コンピュータにインストールされているプログラム（ソフトウエア）と、コンピュータに備えられているハードウエアが協働して実現しているものである。
【００１６】
つぎに、販売者が新築の住宅を購入希望している顧客と、住宅に備える各種装備品の打ち合わせで、本願発明の提供システムを用いている状態について図１〜図５に基づいて説明する。
【００１７】
販売者は、今回の打ち合わせを行う前に、住宅の建設予定地の敷地の広さ、その周囲の環境、住宅の購入資金、家族構成等の具体的な情報や、洋風な住宅、和風な住宅などの抽象的な情報を顧客に記入してもらったアンケート用紙から入手し、顧客が要望している住宅タイプ（洋風、和風、ソーラーシステム装備など）に合わせて、キッチン、バス、トイレ、電気機器などの住宅に装備される装備品を予め選択しておき、顧客に提案するプランとする（この場合、前述のように図２において各装備品の１番目に表示されている標準装備品をプランとしている）。そして、それらのデザイン、サイズ、価格、機能などの情報を画像及び音声で示すためのデータ、選択された装備品以外の他の装備品のデザイン、サイズ、価格、機能などの情報を画像、及び音声で示すためのデータを前記記憶手段１に前記販売者又は販売に関係する販売関係者がコンピュータに備えられた入力手段（前記キーボードやマウスなどであるが、図示していない）を操作して記憶させる。
【００１８】
そして、販売者は顧客に対して、前記プランの説明を行う。この説明では、前記記憶手段１に記憶されているデータに基づいて、装備品を前記表示部３に表示させて説明を行う。
【００１９】
顧客が該プランで提案している装備品に関して、十分な満足（納得）が得られないときには、本願発明に係る選択支援システムを使用して、他の装備品のデザイン、機能、価格などの違いを音声で説明することで即座に把握できるようにしている。
【００２０】
例えば、顧客が標準装備品のキッチンに関して、満足が得られない場合には、前記装備品一覧表示手段２が前記記憶手段１に記憶されている各種装備品の画像を、前記合計金額表示手段５が現在選択されている装備品の合計金額をそれぞれ前記表示部３、つまり図２で示している装備品一覧表示画面１２に表示させる。
【００２１】
この装備品一覧表示画面１２には、キッチンの各種のイメージ図を一覧表示させているキッチン一覧表示部１３、バスの各種のイメージ図を一覧表示させているバス一覧表示部１４、トイレの各種のイメージ図を一覧表示させているトイレ一覧表示部１５、照明機器などの電気器具の各種のイメージ図を一覧表示させている電気器具一覧表示部１６、エアコン、空気清浄機、給湯器、床暖房、浄水器等のオプション機器の各種のイメージ図を一覧表示させているオプション機器一覧表示部１７、前記合計金額表示手段５によって演算された装備品の合計金額を表示する合計金額表示部１８、前記合計金額表示部１８に表示される合計金額から前記標準装備品の合計金額を差し引いた差額を表示する差額表示部１９、前記キッチン一覧表示部１３を拡大して表示部３に表示させるためのボタン２０、前記バス一覧表示部１４を拡大して表示部３に表示させるためのボタン２１、前記トイレ一覧表示部１５を拡大して表示部３に表示させるためのボタン２２、前記電気器具一覧表示部１６を拡大して表示部３に表示させるためのボタン２３、前記オプション機器一覧表示部１７を拡大して表示部３に表示させるためのボタン２４を備えている。前記各種表示部１３〜１６には、３種類の装備品を表示しているが、２種類又は４種類以上のものを表示するようにしてもよい。
【００２２】
なお、図２で示している前記キッチン一覧表示部１３、前記バス一覧表示部１４、前記トイレ一覧表示部１５、前記電気器具一覧表示部１６の一部の欄と、前記オプション機器一覧表示部１７の全ての欄は、何も記載されていないが、省略して図示していないだけであり、前記各装備品の表示部１３〜１７の各欄には、前記記憶手段１に記憶されている各装備品の画像が表示されている。
【００２３】
例えば、顧客は販売者によって選択された（１番に表示されている）標準装備品のキッチンではなく、２番（キッチン一覧表示部１３の上部中央）のキッチンに変更したいと思った場合、販売者は前記選択手段４を操作して２番のキッチンを選択する。この選択によって、前記音声案内手段６は前記記憶手段１に記憶されている標準装備品（１番のキッチン）のデータと、前記記憶手段１に記憶されている該選択手段４によって選択された２番のキッチン（装備品）のデータとを比較し、相違する部分をコンピュータに備えられている又は接続されているスピーカから音声（音）で説明を行う。この音声での具体的な説明としては、例えば、「キッチンの全体は、Ｌの形状をして、広いスペースで料理を行うことができます。扉の色は、ホワイト以外にもブルー、オレンジ、ピンクなどを選択することもできます。ガスコンロ、換気扇など、その他の機器は、標準装備品と同じ装備になっています。」というメッセージで説明を行う。また、後述するように、図３に１番のキッチンとの相違点、つまりＬの形状になるようにキッチンを途中で方向を９０度変更した上下部分２７Ａを多数の点（斜線や色分けで区別してもよい）を付して、１番のキッチンとの相違点を目視により容易かつ明確に把握することができるようにしている。又、図３に示す３番のキッチンは、それの後方にカウンターテーブル２７Ｂを配置した点が大きな相違点であり、カウンターテーブル２７Ｂに前記同様に多数の点を付している。
【００２４】
したがって、本願発明に係る選択支援システムによって、多数の装備品のデザイン、機能を覚えなくても、顧客に標準装備品との違いを音声又は音声と多数の点による表示により容易に説明することができ、顧客が満足できる装備品を選択することができるようになる。
【００２５】
なお、選択手段４によって選択された装備品が、標準装備品と同じ場合には、「標準装備品です。」というコメントのみを音声案内手段６から発するように構成するだけでなく、その音声案内手段が記憶手段１に記憶されている標準装備品の内容の説明を前記選択手段４によって選択される度に音声で説明してもよい。
【００２６】
前記キッチン一覧表示部１３を拡大して表示したい場合には、図２に示すボタン２０を販売者がコンピュータに備えられているマウスなどを操作して押下し、前記表示部３を構成するキッチン一覧表示画面２５に表示させる。このキッチン一覧表示画面２５には、画面上部中央付近に選択されている装備品を、前記装備品描き込み手段９によって三次元的に住宅を模したイメージ図に描き込み表示した選択装備品イメージ部２６、前記キッチン一覧表示部１３に示されている各装備品のイメージ図２７，…，２７、現在表示されていない前記各装備品のイメージ図２７を表示させるためのボタン２８が表示されている。
【００２７】
図３では、販売者が２番のキッチンを選択したときの画面であり、前記選択装備品イメージ図２６には、２番のキッチンのイメージ図２７が描かれている。図示していない４番以降の装備品のイメージ図２７を表示させるためには、ボタン２８を販売者が押下して、４番以降のキッチンのイメージ図２７を表示させる。
【００２８】
そして、キッチンだけでなく、バス、トイレ、電気器具、オプション機器のそれぞれについても、顧客に満足を得られるように説明を行うと共に、顧客が満足できる装備品を提案し、選択する。バスに関しては、図２にバス一覧表示部１４から顧客が興味を持ったバスを選択すると、図４に示しているように、選択されたバス２９を前記装備品描き込み手段９によって、プランとして提案されている住宅のイメージ図に装備品を描き込んで前記表示部３に選択されたバス２９だけでなく、窓３０、暖房換気乾燥機３１、ジェットバス３２、バステレビ３３等の他の装備品（オプション機器としてもよい）を合わせて表示させ、選択した装備品を住宅に装備した状態を顧客に表示できるようにする。
【００２９】
また、前記装備品だけでなく、複数の壁紙などの内装材のイメージ図を前記記憶手段１に予め記憶させ、複数の内装材の中から内装材を販売者が前記選択手段４を操作して選択すると、前記内装材合成手段１０が前記装備品描き込み手段９によって描き込まれた住宅のイメージ図に、前記選択された内装材を合成して前記表示部３に表示するようにしてもよい。
【００３０】
このように、選択した装備品を住宅のイメージ図に描き込むことによって、顧客が選択した装備品を装備したイメージ図を表示させて、顧客に具体的に住宅のイメージを提示できるようにしてもよい。
【００３１】
また、前記装備品一覧表示画面１２や、キッチン一覧表示画面２５等の各種の装備品の一覧表示画面の各装備品を前記選択手段４を用いて選択すると、選択されている各装備品の金額を前記記憶手段１に記憶されているデータの中から探し出し、それら全ての装備品の金額を前記合計金額表示手段５にて合計することにより合計金額を算出し前記合計金額表示部１８に、必要となる全ての装備品の合計金額を表示する。さらに、選択された全ての装備品の合計金額から前記全ての標準装備品の合計金額を差し引いて装備品差額を表示する差額表示手段（図示しない）をコンピュータに備えさせて、前記差額表示部１９に選択した装備品の差額を表示させて、顧客に装備品の変更による金額の負担又は軽減がすぐに理解できるようにしてもよい。
【００３２】
なお、前記装備品一覧表示画面１２や、キッチン一覧表示画面２５等の各種の装備品の一覧表示画面の各装備品が、前記選択手段を４を用いて選択された回数を前記計数手段７に計数させると共に、記憶させ、前記区別手段８によって最も選択回数の多い装備品から順位を付けて、図２で示している前記キッチン一覧表示部１３の表示する順番を選択回数の多い順番に並び替えて表示し、他の顧客がどのキッチンに興味を持っているのかを一目で分かるようにし、顧客が装備品を選択するときの参考にできるようにする。
【００３３】
また、前記区別手段８は、選択回数の多い装備品から順位を付けて区別して表示せずに、選択回数の一番多い装備品のイメージ図のみを他のイメージ図よりも大きく表示させたり、最も目立つ色（赤色など）にて色別に表示する、あるいは「一番選択されています」などが示されている印を該一番選択されているイメージ図に重ねて表示させて、他のイメージ図と区別できるようにしてもよい。
【００３４】
同様に、前記バス一覧表示部１４、前記トイレ一覧表示部１５、電気器具一覧表示部１６、オプション機器一覧表示部１７に関しても、前記区別手段８によって、選択回数が多い順番に順位付けをして各種のイメージ図を表示させたり、選択回数が一番多い装備品のイメージ図に印を付けるなどして区別できるようにする。
【００３５】
例えば、トイレの標準装備品として前記トイレ一覧表示部１５（図２参照）の１番が選択され、顧客が３番のトイレを選択手段４を用いて選択した場合には、前記音声案内手段６による音声だけの説明だけでなく、図５に示しているように選択されたトイレ３４のイメージ図に対して、図２の１番の標準装備品のトイレと異なっている部分３５に斜線を重ね合わせたイメージ図を表示して、標準装備品と選択した装備品の異なる点をイメージ図で表示して、顧客に提案してもよい。また、図５に異なっている部分３５の説明を文字にてわかるように表示する表示部３５Ａを備えさせて実施することによって、目視でも相違点を把握することができるようにしてもよい。
【００３６】
なお、図２では、キッチン、バス、トイレ、電気器具、オプション機器を具体的に例示しているが、これに限定されるものではなく、例えば、給湯器、浄水器、洗面台、カーテン、カーテンレール、又はそれ以外の装備品であってもよい。
【００３７】
なお、本願発明の選択支援システムは、住宅に備えさせる各種の装備品に限らず、外壁材、屋根材、玄関ドアなどを顧客に提案する際に使用してもよい。この場合、前記記憶手段１（図１参照）には、各種の装備品の情報を画像、音声、文字などのデータで記憶するだけでなく、前記複数の外壁材、屋根材、玄関ドアなどの画像（イメージ図）、音声（音）、文字（文章）などのデータ、住宅の外観のイメージ図及び設計図のデータも予め記憶させておくことになる。そして、コンピュータに備えられている外壁一覧表示手段（図示しない）が、前記記憶手段１に記憶されている住宅の外観、外壁材、屋根材、玄関ドアなどのデータに基づいて、図６に示しているように前記表示部３（図１参照）である外観一覧表示画面３６に、住宅の外観のイメージが表示されている外観イメージ表示部３７、屋根材の各種のイメージ図を一覧表示させている屋根材一覧表示部３８、玄関ドアの各種のイメージ図を一覧表示させている玄関ドア一覧表示部３９、外壁材の各種のイメージ図を一覧表示させている外壁材一覧表示部４０を表示するようにしている。
【００３８】
例えば、図６において、販売者が予め提案しているプランの屋根材よりも、屋根材一覧表示部３８の（ｂ）の屋根材４１を販売者が選択手段４を用いて選択した後、すぐに前記外観イメージ表示部３７に示す住宅の屋根部を選択することにより、外観イメージ表示部３７には（ｂ）の屋根材４１が前記外壁描き込み手段１１によって描き込まれ、選択された屋根材を住宅に使用したイメージ図を外観イメージ表示部３７に表示させる。同様に、玄関ドアに関しても、玄関ドア一覧表示部３９の中から（ｂ）の玄関ドア４３を選択し、外観イメージ表示部３７の玄関ドア部を選択することにより、該選択された玄関ドア４３を前記外壁描き込み手段１１によって描き込まれ、外観のイメージ図に該選択された玄関ドア４３を表示させる。外壁材に関しても同様に、外壁材一覧表示部４０の中から（ｂ）の外壁材４２を選択し、外観イメージ表示部３７の外壁部を選択することにより、該選択された外壁材４２を前記外壁描き込み手段１１によって描き込まれ、外観のイメージ図に該選択された外壁材４２を表示させることができるようにしている。この場合も前記同様に他のもの（例えば標準のもの）との相違点を顧客に音声又は音声と文字表示にて把握させるようにしてもよい。
【００３９】
このように、装備品の他、内装材だけでなく、外壁材、屋根材なども建築（改築）予定の住宅又は建築された住宅を模したイメージ図に合成して表示させることによって、住宅の外観に対しても提案し、所望のものを選択できるようにしてもよい。
【００４０】
【発明の効果】
以上の如く、本発明の住宅の装備品選択支援システムは、標準装備品と、顧客又は販売者が選択した装備品との相違部分を音声で説明を行うので、販売経験の少ない販売者であっても、各種装備品の機能（耐久性も含む）やデザインあるいは値段などの違いを顧客に容易に説明することでき、顧客が満足（納得）のいく状態で装備品を選択することができる。
【００４１】
また、選択した全ての装備品の合計金額を表示するので、顧客は装備品の機能やデザインだけでなく、金額も考慮して装備品を選択することができ、より一層顧客が満足（納得）のいく状態で装備品を選択することができる。
【００４２】
また、他の顧客によって各種装備品が選択された回数を計数して、最も選択されている装備品を顧客に示すことができるので、一般的にどの装備品に注目されているかが分かり、自身の選択の参考とすることもできる。
【００４３】
また、選択された装備品を住宅を模したイメージ図に描き込み表示するので、選択した装備品が装備されている状態のイメージを顧客に提案することができ、より一層顧客が満足（納得）のいく状態で装備品を選択することができる。
【００４４】
また、装備品だけでなく、外装材に関しても選択した外装材を住宅を模したイメージ図に描き込み表示するので、選択された外装材が装備された状態のイメージを顧客に提案し、顧客は所望のものを選択することができる。したがって、住宅の外観を含めた顧客の幅広いニーズに応えることができる住宅の装備品選択支援システムにすることができる。
【図面の簡単な説明】
【図１】住宅の装備品選択支援システムの概略を示したブロック図である。
【図２】装備品一覧表示画面の説明図である。
【図３】キッチン一覧表示画面の説明図である。
【図４】選択されたバスが装備された状態のイメージ図である。
【図５】選択されたトイレと標準装備品のトイレとの相違部分を表示しているイメージ図である。
【図６】外観一覧表示画面の説明図である。
【符号の説明】
１  記憶手段
２  装備品一覧表示手段
３  表示部
４  選択手段
５  合計金額表示手段
６  音声案内手段
７  計数手段
８  区別手段
９  装備品描き込み手段
１０  内装材合成手段
１１  外壁材描き込み手段
１２  装備品一覧表示画面
１３  キッチン一覧表示部
１４  バス一覧表示部
１５  トイレ一覧表示部
１６  電気器具一覧表示部
１７  オプション機器一覧表示部
１８  合計金額表示部
１９  差額表示部
２０〜２４  ボタン
２５  キッチン一覧表示画面
２６  選択装備品イメージ部
２７  各装備品のイメージ図
２８  ボタン
２９  選択されたバス
３０  窓
３１  暖房換気乾燥機
３２  ジェットバス
３３  バステレビ
３４  選択されたトイレ
３５  標準装備品のトイレと異なっている部分
３６  外観一覧表示画面
３７  外観イメージ表示部
３８  屋根材一覧表示部
３９  玄関ドア一覧表示部
４０  外壁材一覧表示部
４１  屋根部
４２  外壁部
４３  玄関ドア部
【図１】
2004199442.tif 000003
【図２】
2004199442.tif 000004
【図３】
2004199442.tif 000005
【図４】
2004199442.tif 000006
【図５】
2004199442.tif 000007
【図６】
2004199442.tif 000008